(57)【要約】【課題】加工費，金型費，及び材料費を増加させることなくプロテクタとハウジングの密着性を向上させる。【解決手段】プロテクタ１５ａ，１５ｂ，１５ｃの長手方向端部１６には、ハウジング６の肉厚方向に突出する係止部１６が形成されている。このような構成によれば、プロテクタ１５ａ，１５ｂ，１５ｃは長手方向端部領域においてハウジング６にくさびを打つように接合されるので、成形温度が低い場合であっても、プロテクタ１５ａ，１５ｂ，１５ｃとハウジング６間の密着性を向上させてプロテクタ１５ａ，１５ｂ，１５ｃがハウジング６表面から剥離することを抑制できる。【選択図】図２
2009028840.tif 000002
【特許請求の範囲】
【請求項１】
駆動源である電動モータ，前記電動モータの回転動力を伝達する減速機構部，前記減速機構部の回転動力を先端工具に伝達する駆動部，及び前記駆動部を回転自在に保持する軸受部を内包する胴体部外郭と前記電動モータへの電力供給を制御するスイッチ部を内包するグリップ部外郭とを有するハウジングを備え、当該ハウジングが二つの分割体の周方向端縁同士を付き合わせて略筒状に形成されていると共にグリップ部外郭の長手方向先端部に電池パック取付部が形成された可搬式電動工具において、前記二つの分割体の境界線上を含む前記ハウジング表面を覆う弾性体からなるプロテクタを備え、プロテクタの長手方向端部には前記ハウジングの肉厚方向に突出する係止部が形成されていることを特徴とする可搬式電動工具。
【請求項２】
請求項１に記載の可搬式電動工具において、前記係止部の先端部は長手方向側面部が傾斜した略台形形状を有することを特徴とする可搬式電動工具。
【請求項３】
請求項２に記載の可搬式電動工具において、前記長手方向側面部が前記ハウジングの肉厚方向に対し平行な面を有することを特徴とする可搬式電動工具。
【請求項４】
請求項１に記載の可搬式電動工具において、前記係止部の長手方向側面部が曲面形状を有することを特徴とする可搬式電動工具。
【請求項５】
請求項１に記載の可搬式電動工具において、前記係止部の長手方向側面部に矩形形状の凸部を有することを特徴とする可搬式電動工具。
【請求項６】
請求項１乃至請求項５のうち、いずれか１項に記載の可搬式電動工具において、前記プロテクタは前記ハウジング表面から突出して形成され、プロテクタの長手方向端部にはプロテクタの表面高さがハウジングの表面高さと略同じになるように傾斜部が形成されていることを特徴とする可搬式電動工具。
【請求項７】
請求項１乃至請求項５のうち、いずれか１項に記載の可搬式電動工具において、前記プロテクタの長手方向端部におけるハウジングの表面高さが当該プロテクタの表面高さより高いことを特徴とする可搬式電動工具。
【請求項８】
請求項１乃至請求項７のうち、いずれか１項に記載の可搬式電動工具において、前記プロテクタ二つの分割体の境界線上を含む前記グリップ部外郭表面に形成され、プロテクタの長手方向端部がグリップ部外郭の最小径部近傍領域以外の領域に形成されていることを特徴とする可搬式電動工具。
【発明の詳細な説明】
【技術分野】
【０００１】
本発明は、電動ドライバ等の可搬式電動工具に関する。
【背景技術】
【０００２】
従来の電動工具としては、ドリルドライバ，インパクトドライバ，オイルパルスドライバ等、その用途に応じた各種電動ドライバがあり、その中にはバッテリ駆動される可搬式のものも含まれている。可搬式電動工具として、電動モータを含めた駆動機構部を内包する胴体部と、電動モータへの電力供給を制御するスイッチ部を内包し、胴体部の長手方向中間部又は端部から略直角方向に突出するグリップ部とを備えて全体的に略Ｔ字状又は略Ｌ字状に構成され、グリップ部を握持して操作するように構成されるものがある。この可搬式電動工具では、電動モータを駆動するための電池パックがグリップ部の突出方向先端部に着脱自在に装着される。
【０００３】
この種の可搬式電動工具のハウジングは、一般に、断面アーチ状の勝手違いの二つの樹脂製の分割体の対応する端縁同士を突き合わせて楕円状又は長円状の断面を有する筒体として形成されており、その筒体内に駆動機構やスイッチ類等が装備されている。また二つの分割体の境界線上を含むハウジング表面には、工具が落下又は衝突することによって対象部材（例えばフローリング床や壁等）を傷つけることを防止すると同時に落下時又は衝突時の衝撃から工具自体を保護するために、弾性体からなるプロテクタが形成されている。
【特許文献１】特開２００２−２５４３４０号公報
【特許文献２】特開２００５−１９９４０６号公報
【特許文献３】特開２００５−２５４３７７号公報
【特許文献４】特許第３７１６７５１号公報
【発明の開示】
【発明が解決しようとする課題】
【０００４】
従来の可搬式電動工具によれば、ハウジングとプロテクタがそれぞれ樹脂及び弾性体により形成されているために、ハウジングとプロテクタ間の密着性が悪く、工具を使用しているとハウジング表面からプロテクタが剥離することによって上述の機能が発現しなくなる恐れがあった。このような問題を解決するために、成形温度を高くすることによりハウジングとプロテクタ間の化学的な密着作用を促進させる方法が考えられるが、成形温度を高くした場合、製品を冷却し金型から取り出すまでの時間が長くなる。また通常の成形工程では、弾性体を流入させるゲート位置はプロテクタの被覆領域中央に設定され、プロテクタ端部は弾性体の流動の最終点となるために、プロテクタ端部の成形温度は低くなる。従って、プロテクタ端部の成形温度を高くするためにはゲート数を増やす必要が生じ、結果として加工費，金型費，及び材料費が増加する。
【０００５】
本発明は、上記課題を解決するためになされたものであり、その目的は、加工費，金型費，及び材料費を増加させることなくプロテクタとハウジングの密着性を向上可能な可搬式電動工具を提供することにある。
【課題を解決するための手段】
【０００６】
本発明の請求項１に係る可搬式電動工具は、駆動源である電動モータ，電動モータの回転動力を伝達する減速機構部，減速機構部の回転動力を先端工具に伝達する駆動部，及び駆動部を回転自在に保持する軸受部を内包する胴体部外郭と電動モータへの電力供給を制御するスイッチ部を内包するグリップ部外郭とを有するハウジングを備え、ハウジングが二つの分割体の周方向端縁同士を付き合わせて略筒状に形成されていると共にグリップ部外郭の長手方向先端部に電池パック取付部が形成された可搬式電動工具において、二つの分割体の境界線上を含むハウジング表面を覆う弾性体からなるプロテクタを備え、プロテクタの長手方向端部にはハウジングの肉厚方向に突出する係止部が形成されていることを特徴とする。
【０００７】
本発明の請求項２に係る可搬式電動工具は、請求項１に係る可搬式電動工具において、係止部の先端部は長手方向側面部が傾斜した略台形形状を有することを特徴とする。
【０００８】
本発明の請求項３に係る可搬式電動工具は、請求項２に係る可搬式電動工具において、長手方向側面部がハウジングの肉厚方向に対し平行な面を有することを特徴とする。
【０００９】
本発明の請求項４に係る可搬式電動工具は、請求項１に係る可搬式電動工具において、係止部の長手方向側面部が曲面形状を有することを特徴とする。
【００１０】
本発明の請求項５に係る可搬式電動工具は、請求項１に係る可搬式電動工具において、係止部の長手方向側面部に矩形形状の凸部を有することを特徴とする。
【００１１】
本発明の請求項６に係る可搬式電動工具は、請求項１乃至請求項５のうち、いずれか１項に係る可搬式電動工具において、プロテクタはハウジング表面から突出して形成され、プロテクタの長手方向端部にはプロテクタの表面高さがハウジングの表面高さと略同じになるように傾斜部が形成されていることを特徴とする。
【００１２】
本発明の請求項７に係る可搬式電動工具は、請求項１乃至請求項５のうち、いずれか１項に係る可搬式電動工具において、プロテクタの長手方向端部におけるハウジングの表面高さがプロテクタの表面高さより高いことを特徴とする。
【００１３】
本発明の請求項８に係る可搬式電動工具は、請求項１乃至請求項７のうち、いずれか１項に係る可搬式電動工具において、プロテクタが二つの分割体の境界線上を含むグリップ部外郭表面に形成され、プロテクタの長手方向端部がグリップ部外郭の最小径部近傍領域以外の領域に形成されていることを特徴とする。
【発明の効果】
【００１４】
本発明の請求項１に係る可搬式電動工具によれば、プロテクタが長手方向端部領域においてハウジング表面にくさびを打つように接合されているので、加工費，金型費，及び材料費を増加させることなくプロテクタとハウジングの密着性を向上させることができる。
【００１５】
本発明の請求項２に係る可搬式電動工具によれば、ハウジング表面から剥離される方向にプロテクタに応力が作用した場合であっても、係止部の先端部が抵抗となることによってプロテクタがハウジング表面から剥離しにくくなる。
【００１６】
本発明の請求項３に係る可搬式電動工具によれば、係止部の先端部がくさび形状により近くなるので、プロテクタとハウジングの密着性をより向上させることができる。またハウジング側のプロテクタ端部をバリ切りする際に押さえるハウジングの肉厚が厚くなるのでバリ切り作業が容易になる。
【００１７】
本発明の請求項４に係る可搬式電動工具によれば、落下時又は衝突時の衝撃により発生する応力を係止部において緩和することができる。
【００１８】
本発明の請求項５に係る可搬式電動工具によれば、ハウジング表面から剥離される方向にプロテクタに応力が作用した場合であっても、係止部の先端部が抵抗となることによってプロテクタがハウジング表面から剥離しにくくなる。またハウジング側のプロテクタ端部をバリ切りする際に押さえるハウジングの肉厚が厚くなるのでバリ切り作業が容易となる。
【００１９】
本発明の請求項６に係る可搬式電動工具によれば、手の爪やその他の物体によりハウジング表面の沿面方向に応力が発生した場合にハウジング表面からプロテクタを剥離させる方向に応力が加わりにくくなるので、プロテクタがハウジング表面から剥離しにくくなる。
【００２０】
本発明の請求項７に係る可搬式電動工具によれば、手の爪やその他の物体によりハウジング表面の沿面方向に応力が発生した場合にハウジング表面からプロテクタを剥離させる方向に応力が加わりにくくなるので、プロテクタがハウジング表面から剥離しにくくなる。
【００２１】
本発明の請求項８に係る可搬式電動工具によれば、落下時又は衝突時の衝撃により発生する応力の影響を最小にし、信頼性を向上させることができる。
【発明を実施するための最良の形態】
【００２２】
以下、図面を参照して、本発明の実施形態となる可搬式のドリルドライバの構成について説明する。
【００２３】
本発明の実施形態となる可搬式のドリルドライバ１は、図１及び図２に示すように、電動モータ２を含めた駆動機構部３を内包する細長形状の胴体部４と胴体部４の中間部から略直角に突出されるグリップ部５とを備え、作業者はグリップ部５を握持してドリルドライバ１を操作することになる。ドリルドライバ１のハウジング６は駆動機構部３を内包した胴体部４の外郭４Ｇ（以下、胴体部外郭４Ｇと略記）とグリップ部５の外郭５Ｇ（以下、グリップ部外郭５Ｇと略記）とによって略Ｔ字状を成すように形成される。
【００２４】
胴体部外郭４Ｇは略筒状に形成されている。胴体部外郭４Ｇに内包される駆動機構部３は、駆動源である電動モータ２と、電動モータ２の回転を減速する減速機構部７と、減速機構部７の回転駆動力を先端のチャック８まで伝達する駆動部９と、駆動部９を回転自在に保持する軸受部１０とを備える。グリップ部外郭５Ｇも略筒状に形成されている。グリップ部外郭５Ｇの内部には、電動モータ２への電力供給を制御するスイッチ部１１が取り付けられ、スイッチ部１１はグリップ部５の根元側に押込み自在に取り付けたトリガー１２によって作動されるようになっている。
【００２５】
グリップ部外郭５Ｇの突出側先端部（図中下端部）は、グリップ部外郭５Ｇの長手方向（図１では略上下方向）の中間部よりも拡大され、電池パック１３を着脱自在に装着するための電池パック取付部１４が形成されている。胴体部外郭４Ｇとグリップ部外郭５Ｇとを備えるハウジング６は、図１，図２中紙面直角方向の中央部で２分割されたほぼ勝手違いの二つの分割体（半割体）６Ｌ，６Ｒを対応する端面６ａ，６ｂ同士を突き合わせることで中空状に形成されている。
【００２６】
二つの分割体６Ｌ，６Ｒの境界線上を含むハウジング６表面には弾性体からなるプロテクタ１５ａ，１５ｂ，１５ｃが形成されている。ハウジング６表面にプロテクタ１５ａ，１５ｂ，１５ｃを形成することにより、ドリルドライバ１が落下又は衝突することによって対象部材（例えばフローリング床や壁等）を傷つけることを防止すると同時に落下時又は衝突時の衝撃からドリルドライバ１自体を保護することができる。
【００２７】
プロテクタ１５ａ，１５ｂ，１５ｃの長手方向端部１６には、図３に示すようにハウジング６の肉厚方向に突出する係止部１６が形成されている。このような構成によれば、プロテクタ１５ａ，１５ｂ，１５ｃは長手方向端部領域においてハウジング６にくさびを打つように接合されるので、成形温度が低い場合であっても、プロテクタ１５ａ，１５ｂ，１５ｃとハウジング６間の密着性を向上させ、結果としてプロテクタ１５ａ，１５ｂ，１５ｃがハウジング６表面から剥離することを抑制できる。
【００２８】
係止部１６はグリップ部外郭５Ｇの最小径部（図１に示す矢印部分）近傍領域以外の領域に形成されている。このような構成によれば、落下時又は衝突時の衝撃によってハウジング６に発生する応力の影響を最小にし、信頼性を向上させることができる。
【００２９】
係止部１６が図４に示すような長手方向側面部が長手方向に傾斜した略台形形状を有するようにしてもよい。このような構成によれば、ハウジング６表面から剥離する方向にプロテクタ１５ａ，１５ｂ，１５ｃに応力が作用した場合であっても、係止部１６の先端部が抵抗となることによってハウジング６表面からプロテクタ１５ａ，１５ｂ，１５ｃが剥離しにくくなる。
【００３０】
図４に示す係止部１６の形状において、図５に示すように長手方向側面部がハウジングの肉厚方向に対し平行な面１７を有するようにしてもよい。このような構成によれば、係止部１６の先端部がくさび形状になるので、プロテクタ１５ａ，１５ｂ，１５ｃとハウジング６の密着性をより向上させることができる。またハウジング６側のプロテクタ１５ａ，１５ｂ，１５ｃ端部をバリ切りする際に押さえるハウジングの肉厚が厚くなるのでバリ切り作業が容易になる。
【００３１】
係止部１６の長手方向側面部が図６に示すように曲面形状を有するようにしてもよい。このような構成によれば、落下時又は衝突時の衝撃により発生する応力を緩和することができる。
【００３２】
係止部１６の長手方向側面部に図７，８に示すように矩形形状の凸部１８を形成してもよい。このような構成によれば、ハウジング６表面から剥離される方向にプロテクタ１５ａ，１５ｂ，１５ｃに応力が作用した場合であっても、係止部１６の先端部が抵抗となることによってハウジング６表面からプロテクタ１５ａ，１５ｂ，１５ｃが剥離しにくくなる。またハウジング６側のプロテクタ１５ａ，１５ｂ，１５ｃ端部をバリ切りする際に押さえるハウジング６の肉厚が厚くなるのでバリ切り作業が容易となる。
【００３３】
図９に示すように、プロテクタ１５ａ，１５ｂ，１５ｃはハウジング６表面から突出して形成され、プロテクタ６の長手方向端部にはプロテクタ６の表面高さがハウジングの表面高さと略同じになるように傾斜部１９が形成されているようにしてもよい。このような構成によれば、手の爪やその他の物体によりハウジング６表面の沿面方向に応力が発生した場合にハウジング６表面からプロテクタ１５ａ，１５ｂ，１５ｃを剥離させる方向に応力が加わりにくくなるので、ハウジング６表面からプロテクタ１５ａ，１５ｂ，１５ｃが剥離しにくくなる。またグリップ部外郭５Ｇを握時した際の違和感が無くなる。
【００３４】
図１０に示すように、プロテクタ１５ａ，１５ｂ，１５ｃの長手方向端部におけるハウジング６の表面高さがプロテクタ１５ａ，１５ｂ，１５ｃの表面高さより高くなるようにしてもよい。このような構成によれば、手の爪やその他の物体によりハウジング表面の沿面方向に応力が発生した場合にハウジング表面からプロテクタを剥離させる方向に応力が加わりにくくなるので、ハウジング表面からプロテクタが剥離しにくくなる。
【００３５】
以上、本発明者らによってなされた発明を適用した実施の形態について説明したが、この実施の形態による本発明の開示の一部をなす論述及び図面により本発明は限定されることはない。すなわち、上記実施の形態に基づいて当業者等によりなされる他の実施の形態、実施例及び運用技術等は全て本発明の範疇に含まれることは勿論であることを付け加えておく。
【図面の簡単な説明】
【００３６】
【図１】本発明の実施形態となる可搬式のドリルドライバの側面図である。
【図２】図１に示すドリルドライバの片方のハウジングを取り外して内部を見たドリルドライバの側断面図である。
【図３】本発明の実施形態となるプロテクタの長手方向端部形状を示す模式図である。
【図４】図３に示すプロテクタの長手方向端部形状の応用例を示す模式図である。
【図５】図３に示すプロテクタの長手方向端部形状の応用例を示す模式図である。
【図６】図３に示すプロテクタの長手方向端部形状の応用例を示す模式図である。
【図７】図３に示すプロテクタの長手方向端部形状の応用例を示す模式図である。
【図８】図３に示すプロテクタの長手方向端部形状の応用例を示す模式図である。
【図９】図３に示すプロテクタの長手方向端部形状の応用例を示す模式図である。
【図１０】図３に示すプロテクタの長手方向端部形状の応用例を示す模式図である。
【符号の説明】
【００３７】
１：ドリルドライバ（可搬式電動工具）
２：電動モータ
３：駆動機構部
４Ｇ：胴体部外郭
５Ｇ：グリップ部外郭
６：ハウジング
６ａ，６ｂ：端面（端縁）
１３：電池パック
１４：電池パック取付部
１５ａ，１５ｂ，１５ｃ：プロテクタ
１６：係止部
【図１】
2009028840.tif 000003
【図２】
2009028840.tif 000004
【図３】
2009028840.tif 000005
【図４】
2009028840.tif 000006
【図５】
2009028840.tif 000007
【図６】
2009028840.tif 000008
【図７】
2009028840.tif 000009
【図８】
2009028840.tif 000010
【図９】
2009028840.tif 000011
【図１０】
2009028840.tif 000012